(57)【特許請求の範囲】
【請求項１】
身体に密着させて着用する伸縮性を有するロングタイプのガードル並びにスパッツから選ばれた衣料であって、脚部と股部を有し少なくとも腹部と臀部を覆っている衣料であり、前記衣料は衣料本体の裏側に伸縮性を有する臀部裏打ち布を有しており、前記臀部裏打ち布の周辺縁のうち、その上辺縁が少なくとも臀部の膨らみの頂点より上まで達しており、下辺縁の最下点は臀部の臀溝近傍まで達していて、左右の縁は少なくとも脇側まで達しており、人体の左右の脇側までとウェストから臀溝までの領域の臀部の面積を基準としてその２／３以上を覆う大きさを有し、且つ、前記臀部裏打ち布は、その左右の縁は衣料本体に縫合されているが、下辺縁はその全長、または、全長の少なくとも２／３以上が衣料本体に縫合されていないフリーの状態であって、弾性繊維を含有していてほぼ上辺縁から下辺縁方向に向かって緊締力が変化している生地からなり、比較的緊締力の強い部分が臀部の膨らみの頂点を避けて臀部下側から斜め外側上方にほぼ帯状に延在している領域であり、比較的緊締力の強い部分より上側の領域は比較的緊締力の弱い部分であって、少なくともその下側の縁部がほつれ防止処理されている端始末を必要としない生地からなる臀部裏打ち布を有する衣料。
【請求項２】
臀部裏打ち布が、その後中心線にほぼ沿った部分が更に衣料本体に縫合されている請求項１に記載の臀部裏打ち布を有する衣料。
【請求項３】
臀部裏打ち布の上辺縁の全長又は全長の少なくとも１／２以上が衣料本体に縫合されている請求項１または２のいずれかに記載の臀部裏打ち布を有する衣料。
【請求項４】
臀部裏打ち布の上辺縁の全長又は全長の少なくとも１／２以上が衣料本体に縫合されていないフリーの状態である請求項１または２のいずれかに記載の臀部裏打ち布を有する衣料。
【請求項５】
臀部裏打ち布の左右の縁が脇側を超え前脇に到達している請求項１〜４のいずれかに記載の臀部裏打ち布を有する衣料。
【請求項６】
臀部裏打ち布の左右の縁が脇側を超え前脇に到達していて、衣料本体の腹部充当部片の左右の縁に縫合されている請求項１〜４のいずれかに記載の臀部裏打ち布を有する衣料。
【請求項７】
臀部裏打ち布の下辺縁が、臀部の膨らみの頂点を避けて臀部下部のほぼ臀溝近傍を通り斜め外側上方に向かい、前脇側に至っている請求項５〜６のいずれかに記載の臀部裏打ち布を有する衣料。
【請求項８】
衣料本体の緊締力の変化が付されている部分が、（ａ）ヒップの膨らみの部分の緊締力が比較的弱く、それより下側にいくに従い少なくともヒップの下端まで緊締力が比較的強められているか、（ｂ）脚部の裾口近傍、又は脚部の裾口近傍とそれより上の大腿部の緊締力が比較的強くされているかのいずれか少なくとも１つである請求項１〜７のいずれかに記載の臀部裏打ち布を有する衣料。
【請求項９】
衣料本体の脚部に充当される生地が、その裾口が、ほつれ防止処理されている端始末を必要としない生地からなる請求項１〜８のいずれかに記載の臀部裏打ち布を有する衣料。
【発明の詳細な説明】
【０００１】
【発明の属する技術分野】
本発明は、臀部裏打ち布を有する衣料に関する。特に本発明は、身体に密着させて着用する伸縮性を有する衣料で、脚部と股部を有し少なくとも腹部と臀部を覆っている衣料であって、衣料本体の裏側に伸縮性を有する臀部裏打ち布を有する衣料に関する。
【０００２】
【従来の技術】
従来より、ロングタイプのガードル、スパッツ、セミロングタイプのガードルなど、伸縮性を有しており、身体に密着させて着用する脚部と股部を有し少なくとも腹部と臀部を覆っている衣料は、広く普及している。
【０００３】
従来、この種の衣料においては、臀部の形を整え、ヒップアップ機能を付与するために臀部の膨らみの頂点を避けてその下側から斜め外側上方にほぼ帯状に延在している裏打ち布を裏打ちしたものが最も代表的である。この最も典型的な従来例について脚部を有するロングタイプのガードルの図面を引用して説明する。
【０００４】
図１２は従来のロングタイプのガードルの正面側から見た斜視図、図１３は図１２に示したロングタイプのガードルの背面側から見た斜視図である。
【０００５】
図１２、図１３において１はガードル本体の腹部充当部片であり、２は前脇部、３は大腿部を包み込む筒状の脚部、４は臀部充当部であり、５は後中心における縫合ラインである。そしてこの図示した態様においては、前脇部２、大腿部を包み込む筒状の脚部３、臀部充当部４は左右それぞれ１枚づつの連続した生地からなっている。このような従来のロングタイプのガードルの内側（裏側）に帯状の裏打ち布１２０が臀部の膨らみの頂点を避けてその下側から斜め外側上方にほぼ帯状に延在して設けられている。そして通常かかる裏打ち布１２０はその周囲の縁、すなわち上下の縁１２１と１２２、並びに左右の縁１２３と１２４の全周の縁がガードル本体に縫合されて取り付けられているのが最も典型的な態様である。
【０００６】
【発明が解決しようとする課題】
しかしながら、座ったり、しゃがんだり、前屈みになったり、そして立ったりする日常頻繁に繰り返し行われる動作においては、臀部の皮膚の伸び縮みがかなり大きくなり、人体にタイトにフィットさせて着用するこの種の衣料においては、衣料の脚部も大腿部にしっかりとタイトに密着しているので、臀部裏打ち布の全周囲がガードル本体に縫合されていると、例え裏打ち布が伸縮性であっても、臀部の皮膚の伸び縮みに十分追従しきれず、つっぱり感が生じ、着用感が低下するという問題があり、更に着用者の動きが激しくなると、ウェストのずり下がり、あるいは脚部の裾のずり上がりなどが生じ、着崩れの問題が生ずることもある。
【０００７】
更に、臀部形状補整の目的で、より大きい面積で臀部裏打ち布を設けると、臀部裏打ち布の運動追従性が一層悪くなるという問題が生じる。
【０００８】
本発明は、従来の衣料の上述したような問題点を解決し、より大きい面積で臀部裏打ち布を設けた場合においても、裏打ちされた臀部裏打ち布の運動追従性が良好で、従って座位時や前かがみ時においても、つっぱり感がなく、着用感が良好で、着崩れなどの問題も生じにくい伸縮性を有する衣料で、身体に密着させて着用する脚部と股部を有し少なくとも腹部と臀部を覆っている衣料であって臀部裏打ち布を有する衣料を提供することを目的とする。
【０００９】
【課題を解決するための手段】
上記の目的を達成するため、本発明は、以下に示すような、臀部裏打ち布を有する衣料を提供するものである。
【００１０】
（１）身体に密着させて着用する伸縮性を有するロングタイプのガードル並びにスパッツから選ばれた衣料であって、脚部と股部を有し少なくとも腹部と臀部を覆っている衣料であり、前記衣料は衣料本体の裏側に伸縮性を有する臀部裏打ち布を有しており、前記臀部裏打ち布の周辺縁のうち、その上辺縁が少なくとも臀部の膨らみの頂点より上まで達しており、下辺縁の最下点は臀部の臀溝近傍まで達していて、左右の縁は少なくとも脇側まで達しており、人体の左右の脇側までとウェストから臀溝までの領域の臀部の面積を基準としてその２／３以上を覆う大きさを有し、且つ、前記臀部裏打ち布は、その左右の縁は衣料本体に縫合されているが、下辺縁はその全長、または、全長の少なくとも２／３以上が衣料本体に縫合されていないフリーの状態であって、弾性繊維を含有していてほぼ上辺縁から下辺縁方向に向かって緊締力が変化している生地からなり、比較的緊締力の強い部分が臀部の膨らみの頂点を避けて臀部下側から斜め外側上方にほぼ帯状に延在している領域であり、比較的緊締力の強い部分より上側の領域は比較的緊締力の弱い部分であって、少なくともその下側の縁部がほつれ防止処理されている端始末を必要としない生地からなる臀部裏打ち布を有する衣料。
【００１１】
本発明の臀部裏打ち布を有する衣料においては、臀部裏打ち布によるヒップアップその他の臀部形状補整機能が発揮され、比較的大きい面積で臀部裏打ち布を設けていても、前記臀部裏打ち布は、伸縮性を有していて、しかもその左右の縁は衣料本体に縫合されているが、下辺縁はその全長、または、全長の少なくとも２／３以上が衣料本体に縫合されていないフリーの状態であるので、臀部裏打ち布の運動追従性が良好で、従って座位時や前かがみ時においても、つっぱり感がなく、着用感が良好で、着崩れなどの問題も生じにくい前記衣料を提供できる。
【００１２】
また、臀部裏打ち布の比較的緊締力の強い部分が臀部の膨らみの頂点より下側から斜め外側上方にほぼ帯状に延在しているので、ヒップアップ機能が更に一層強化されるとともに、臀部の膨らみの頂点近傍は比較的緊締力の弱い部分でカバーされているので、ヒップの膨らみをつぶさずに美しい丸みを保ち、より効果的な美しいヒップ形状を実現できる。
【００１３】
更に、臀部裏打ち布が、少なくともその下側の縁部がほつれ防止処理されている端始末を必要としない生地からなり、ほつれ防止のため臀部裏打ち布の下側の縁部を折り返して縫製する通常の端始末を必要とする生地を用いた場合に比べ、生地の下側の縁部の折り返しや縫製を必要としないので、段になりにくく、臀部裏打ち布の縁がアウターウェアーに反映して（これをアウターにひびくと言う。）着用者の外観が見苦しくなるのを防止でき好ましい。また、生地の下側の縁部の折り返し縫製による、運動追従性への影響も少なく好ましい。
【００１４】
ロングタイプのガードル並びにスパッツは、太ももの長さの１／２以上を覆っているので、裾のずり上がりが効果的に防止できるとともに、ロングタイプのガードル並びにスパッツは、ショートタイプのガードルに比べて、効果的に太ももからヒップのラインを補整できる機能が発揮できるが、ショートタイプのガードルに比べて、ヒップ形状補整機能が発揮されにくい。しかし、本発明の衣料における腹部裏打ち布は、ショートタイプのガードルに匹敵する機能も発揮できるので、本発明のロングタイプのガードル並びにスパッツは、ロングタイプとショートタイプのガードルの好ましい機能を併せ持った衣料が提供でき、しかも着用感が良好で好ましい。
【００１５】
なお、ここで臀部裏打ち布の周辺縁について「左右の縁は少なくとも脇側まで達しており」の脇側とは人体の脇線を意味している。
【００１６】
（２）臀部裏打ち布が、その後中心線にほぼ沿った部分が更に衣料本体に縫合されている前記（１）項に記載の臀部裏打ち布を有する衣料。
【００１７】
上記本発明の好ましい態様とすることにより、左右のヒップの膨らみの存在する部分に比べて臀部の臀裂のある後中心部分は、皮膚の伸びがそれほど大きくないので、後中心線にほぼ沿った部分が更に衣料本体に縫合されていても、臀部裏打ち布に要求される運動追従性は十分発揮され、後中心線にほぼ沿った部分が衣料本体に縫合されていることにより、臀部裏打ち布の位置が安定し、着用の際や着用中の臀部裏打ち布の横ずれなどによる偏りやしわなどの発生を少なくでき好ましい。
【００１８】
（３）臀部裏打ち布の上辺縁の全長又は全長の少なくとも１／２以上が衣料本体に縫合されている前記（１）項または（２）項のいずれかに記載の臀部裏打ち布を有する衣料。
【００１９】
上記本発明の好ましい態様とすることにより、臀部裏打ち布の上辺縁近傍の上下への位置ずれが生じにくく、臀部裏打ち布の位置が安定し、しわなどの発生を少なくでき好ましい。また、洗濯などに対する耐久性が向上し好ましい。
【００２０】
（４）臀部裏打ち布の上辺縁の全長又は全長の少なくとも１／２以上が衣料本体に縫合されていないフリーの状態である前記（１）項または（２）項のいずれかに記載の臀部裏打ち布を有する衣料。
【００２１】
上記本発明の好ましい態様とすることにより、臀部裏打ち布の運動追従性がより良好になるので、つっぱり感が更に少なくでき、ウェスト部のずり下がりや裾部のずり上がりなどがより少なくでき好ましい。
【００２２】
（５）臀部裏打ち布の左右の縁が脇側を超え前脇に到達している前記（１）〜（４）項のいずれかに記載の臀部裏打ち布を有する衣料。
【００２３】
上記本発明の好ましい態様とすることにより、臀部裏打ち布が、後ろ側だけでなく、脇側を超え前脇に到達しているので、後ろから前に臀部を包み込むようにして臀部にパワーがかかるので、臀部裏打ち布によるヒップアップその他の臀部形状補整機能がより効果的に発揮され好ましい。
【００２４】
（６）臀部裏打ち布の左右の縁が脇側を超え前脇に到達していて、衣料本体の腹部充当部片の左右の縁に縫合されている前記（１）〜（４）項のいずれかに記載の臀部裏打ち布を有する衣料。
【００２５】
上記本発明の好ましい態様とすることにより、臀部裏打ち布が後ろ側だけでなく、脇側を超え前脇に到達しているので、後ろ側から前に臀部を包み込むようにして臀部にパワーがかかるので、臀部裏打ち布によるヒップアップその他の臀部形状補整機能がより効果的に発揮されるとともに、臀部裏打ち布の左右の縁が腹部充当部片の左右の縁に縫合されているので、前脇腹部の補整機能も発揮でき好ましい。
【００２６】
（７）臀部裏打ち布の下辺縁が、臀部の膨らみの頂点を避けて臀部下部のほぼ臀溝近傍を通り斜め外側上方に向かい、前脇側に至っている前記（５）〜（６）項のいずれかに記載の臀部裏打ち布を有する衣料。
【００２７】
上記本発明の好ましい態様とすることにより、臀部裏打ち布が臀部下部のほぼ臀溝近傍までカバーしておりそれより斜め外側上方に向かい、前脇側に至っているので、前記（５）項や（６）項で述べた機能とともに、ヒップアップ機能が確実に発揮され好ましい。
【００２８】
（８）衣料本体の緊締力の変化が付されている部分が、（ａ）ヒップの膨らみの部分の緊締力が比較的弱く、それより下側にいくに従い少なくともヒップの下端まで緊締力が比較的強められているか、（ｂ）脚部の裾口近傍、又は脚部の裾口近傍とそれより上の大腿部の緊締力が比較的強くされているかのいずれか少なくとも１つである前記（１）〜（７）項いずれかに記載の臀部裏打ち布を有する衣料。
【００２９】
上記本発明の好ましい態様とすることにより、衣料本体の緊締力の変化が付されている部分が、（ａ）ヒップの膨らみの部分の緊締力が比較的弱く、それより下側にいくに従い少なくともヒップの下端まで緊締力が比較的強められている態様の場合には、更にヒップの膨らみの美しい丸みを保ち、且つ、ヒップアップ機能を衣料本体にも付与でき好ましい。従って、臀部裏打ち布を併せて採用した場合には、より効果的にヒップアップ機能が発揮され好ましい。
【００３０】
また、（ｂ）脚部の裾口近傍、又は脚部の裾口近傍とそれより上の大腿部の緊締力が比較的強くされている態様を採用した場合には、脚部の裾口近傍のみの場合には、裾のずり上がりをより効果的に防止でき好ましい。脚部の裾口近傍とそれより上の大腿部の緊締力が比較的強くされている態様を採用した場合には、裾のずり上がりをより効果的に防止できるとともに、臀部裏打ち布がカバーしきれない太ももからヒップにかけてのラインを効果的に補整でき好ましい。従ってこの態様の場合には、衣料本体と裏打ち布とでそれぞれが有効に発揮できる機能を組み合わせて所望の部分に所望の補整機能を付与することができ好ましい。特に臀部裏打ち布として緊締力変化を有する態様の臀部裏打ち布を組み合わせているので、上記、機能がより一層効果的に発揮され極めて好ましい。
【００３１】
（９）衣料本体の脚部に充当される生地が、その裾口が、ほつれ防止処理されている端始末を必要としない生地からなる前記（１）〜（８）項のいずれかに記載の臀部裏打ち布を有する衣料。
【００３２】
上記本発明の好ましい態様とすることにより、ほつれ防止のため衣料本体の脚部の裾口を折り返して縫製する通常の端始末を必要とする生地を用いた場合に比べ、裾口の折り返しや縫製を必要としないので、段になりにくく、裾口の折り返しの部分がアウターウェアーに反映して着用者の外観が見苦しくなるのを防止でき、また、裾口の折り返し段差が、大腿部に圧着されることにより生じる肌への跡が付かず好ましい。
【００３３】
【発明の実施の形態】
以下、本発明の具体的な実施の形態を図面を引用しながら説明するが、本発明は、これらの実施の形態に具体的に記載されたもののみに限定されるものではない。
【００３４】
図１は本発明の臀部裏打ち布を有する衣料であるロングタイプのガードルの衣料本体の正面側から見た斜視図、図２は図１に示したガードルの衣料本体の背面側から見た斜視図、図３は図１の衣料本体の正面側から見た斜視図に、衣料本体裏側に取り付けられている臀部裏打ち布の取り付け位置を記入した図であり、衣料本体の外側にあらわれる輪郭を点線で表して、裏側（内側）に取り付けられている臀部裏打ち布を実線で示した図である。また、図４は図２の衣料本体の背面側から見た斜視図に、衣料本体裏側に取り付けられている臀部裏打ち布の取り付け位置を記入した図であり、衣料本体の外側にあらわれる輪郭を点線で表して、裏側（内側）に取り付けられている臀部裏打ち布を実線で示した図である。尚、臀部裏打ち布の存在部分が容易に理解できるように、臀部裏打ち布の存在部分には点々模様を付してある（この点は他の図においても同様である。）。また、図５は図１〜４に示したガードルの各構成部片の展開平面図である。但し、図５においては生地の緊締力が変化している境界を模式的に示している一点鎖線の記載は省略している。
【００３５】
図１〜５において１は衣料（ガードル）本体９の腹部充当部片、２は前脇部、３は大腿部を包み込む筒状の脚部、４は臀部充当部であり、５は後中心における臀部の縫合ラインである。そしてこの図示した態様においては、前脇部２、大腿部を包み込む筒状の脚部３、臀部充当部４は左右それぞれ１枚づつの連続した生地からなっている。従って２、３、４をまとめてここではこれを前脇−臀部−脚部充当部片６と呼ぶ。そして衣料本体９の前脇−臀部−脚部充当部片６においては、緊締力が段階的に変化している生地が用いられており、ヒップの膨らみの部分を少なくともカバーしている部分並びに前脇上部をカバーしている部分が緊締力の比較的弱い部分であり、それより下側のヒップの下側の部分とそれが前脇側に延在している帯状の部分２ａが緊締力が比較的強められている。ここではこの緊締力が比較的強められている部分２ａの緊締力は中程度の緊締力とした。（緊締力が変化している境界を模式的に一点鎖線で示した。他の図においても同様である。）。更にその下の大腿部を包み込む筒状の脚部３の部分の緊締力は最も強められている強の緊締力とした。すなわち、緊締力のパワーは２、４部分が弱で、２ａ部分が中で、３の部分が強となっている。
【００３６】
このように緊締力変化を持たせることにより、ヒップの丸い膨らみは、つぶさずにヒップの美しい丸みを保ち、ヒップの膨らみの下側の２ａの部分の緊締力を強めることにより、ヒップアップ機能を発揮できるとともに更にその下の大腿部を包み込む筒状の脚部３の部分の緊締力は最も強められているので、裾のずり上がりをより効果的に防止できるとともに、臀部裏打ち布がカバーしきれない太ももからヒップにかけてのラインを効果的に補整でき好ましい。しかも面で大腿部を圧着するので、裾口にゴムテープなどが縫合されている場合に比べて肌への食い込みも少ない。しかもこの態様においては、衣料本体の脚部３に充当される生地が、その裾口が、ほつれ防止処理されている端始末を必要としない生地からなっている。こうすることにより、裾口の折り返しや縫製を必要としないので、段になりにくく、裾口の折り返しの部分ががアウターウェアーに反映して着用者の外観が見苦しくなるのを防止でき、また、裾口の折り返し段差が、大腿部に圧着されることにより生じる肌への跡が付かず好ましい。
【００３７】
緊締力に変化をつけるには、後述するように種々の手法があるが、この実施例では、用いるポリウレタン糸などの弾性繊維糸のデニール数を変えることにより、小さいデニール数の弾性繊維糸を用いている部分の緊締力は弱く、大きいデニール数の弾性繊維糸を用いている部分の緊締力は、大きくなる手法を用いている。以下の実施の形態についてもほぼ同様である。なお、緊締力は通常は一点鎖線で示したそれに沿った方向の帯状の長手方向の緊締力を意味しているが、もちろん、湾曲した帯状に所望の緊締力を持たせてもよい。
【００３８】
そして、図３、４を参照するに、衣料本体９の裏側に伸縮性を有する臀部裏打ち布１１を有しており、この態様においては、臀部裏打ち布１１は左半身用と右半身用とは別個の布から構成されており後中心ライン１２ｂで縫合され接ぎ合わされて１つの臀部裏打ち布を形成している。そしてこの後中心ライン１２ｂにおいて臀部裏打ち布１１は同時に衣料本体の後中心における臀部の縫合ライン５にも縫着されている。臀部裏打ち布１１の上辺縁１３ａは、衣料本体９のウェストライン７に達しており、下辺縁１３ｂは臀溝より下２〜３ｃｍ近傍まで達していて、左右の縁１２ａは脇側を超え前脇に到達していて、衣料本体の腹部充当部片１の左右の縁に縫合されている。そして前記臀部裏打ち布１１は人体の左右の脇側までとウェストから臀溝までの領域の臀部の面積を基準としてその２／３以上を覆う大きさを有している。ここで「人体の左右の脇側」の脇側とは、人体の脇線を意味している。
【００３９】
そして前記臀部裏打ち布１１は、その左右の縁１２ａは衣料本体の腹部充当部片１の左右の縁に縫合されているが、下辺縁は１３ｂはそのほぼ全長にわたって衣料本体に縫合されていないフリーの状態である。尚、臀部裏打ち布の上辺縁１３ａは、その全長が衣料本体に縫合されていてもよいし、又はその一部が衣料本体に縫合されていてもよいし、あるいは衣料本体に縫合されていないフリーの状態であってもよいが、この態様においては、その全長が衣料本体９のウェストライン７近傍で縫着されている。
【００４０】
更に、臀部裏打ち布１１はほぼ上辺縁から下辺縁方向に向かって緊締力が変化している生地からなり、比較的緊締力の強い部分が臀部の膨らみの頂点を避けて臀部下側から斜め外側上方にほぼ帯状に延在している領域１１ｂであり、比較的緊締力の強い部分１１ｂより上側の領域は比較的緊締力の弱い部分１１ａとして編み分けられている生地を用いた。そして、この態様においては、衣料本体９も臀部裏打ち布１１も２方向伸縮性のツーウェイ素材（ここではツーウェイパワーネット編物）が使用されている。ただ、衣料本体９の腹部充当部片１は、必ずしも伸縮性であるとは限らず、必要に応じて非伸縮性の生地を用いたり、衣料縦方向のみに伸縮性の生地を用いてもよいことは当然である。本発明の衣料は伸縮性を有する衣料であるが、この意味は、本発明の衣料を構成する全ての部分が全て伸縮性でなければならないことを意味するものではなく、その一部が非伸縮性であっても、全体として実質上身体にタイトにフィットし密着するに必要な伸縮性を有していればよいのである。従って例えば、衣料本体の腹部充当部片やクロッチ部片などは必要に応じて非伸縮性生地を使用してもよいのである。
【００４１】
また、この態様においては、臀部裏打ち布１１はその下辺縁１３ｂの部分がほつれ防止処理されている端始末を必要としない生地を用いている。従って、ほつれ防止のために生地の下辺縁１３ｂの折り返しや縫製あるいはゴムテープの縫着を必要としないので、段になりにくく、臀部裏打ち布１１の下辺縁がアウターウェアーに反映して着用者の外観が見苦しくなるのを防止でき好ましい。
【００４２】
また、この実施の形態例においては、臀部裏打ち布１１の下辺縁１３ｂは、そのほぼ全長にわたって衣料本体９に縫合されていないフリーの状態である例を示したが、下辺縁１３ｂは、全長の少なくとも２／３以上が衣料本体９に縫合されていないフリーの状態であればよく、従って上記範囲内で下辺縁１３ｂは、その一部が衣料本体９に縫合されていてもよい。一部が衣料本体９に縫合されている場合には、できるだけ縫合されている部分が、後中心を基準として左右対称となるように縫合することが好ましい。
【００４３】
図５に、図１〜４に示したロングタイプのガードルの各構成部片の展開平面図を示した。なお、各構成部片の展開平面図には縫い代は記載していない。また、臀部裏打ち布１１や衣料本体９の前脇−臀部−脚部充当部片６における緊締力が段階的に変化している部分は、図１〜４から容易に理解できるので、図５には図示を省略している。このガードルは左右対称であるので、これらの部片がどのように縫合されて図１〜４に示したガードルが形成できるかの説明については、原則として、人体の左右を基準にして前中心より左半分について説明し、右半分は左半分と左右線対称（前中心線が対称軸）であるから、説明を省略している。左右については人体の左右を基準としているので、従って、右半分とか左半分とは図５においては、臀部裏打ち布１の前中心線を境にして、図において右側を左半分と称することになる。
【００４４】
図５において、前脇−臀部−脚部充当部片６のＡ−Ｂラインは腹部充当部片１のＫ−Ｌラインと縫合され、Ｑ−ＣラインはＥ−Ｄラインと縫合されて左脚部を形成し、Ｇ−Ｆラインは右側半分の前脇−臀部−脚部充当部片６の同様な部分Ｇ´−Ｆ´ラインと縫合されて後中心の縫合ライン（図２の５）を形成することになる。クロッチ布８のＯ−ＰラインはＬ−Ｍラインに縫合され、Ｏ−ＩラインはＢ−Ｑラインと縫合され、Ｈ−ＩラインはＦ−Ｅラインと縫合される。また、臀部裏打ち布１１のＳ−Ｒ−Ｗ−Ｖ−Ｕ−Ｔのラインは前脇−臀部−脚部充当部片６のＳ´−Ａ−Ｇ−Ｆ−Ｅ−Ｔ´の位置に重ね合わされる。従って縫合の仕方は前脇−臀部−脚部充当部片６と重なっている部分は前脇−臀部−脚部充当部片６と同じである。尚、臀部裏打ち布１１のＳ−Ｔのラインは前脇−臀部−脚部充当部片６のＳ´−Ｔ´のライン２０とは縫合されておらずフリーの状態になっている。点線で示したライン２０は、上述のように臀部裏打ち布１１を前脇−臀部−脚部充当部片６の上述した所定の位置に重ね合わせた場合に、臀部裏打ち布１１のＳ−Ｔラインの仮想位置を参考までに前脇−臀部−脚部充当部片６上に書き込んだものである。
【００４５】
上記に示したロングタイプのガードルは、臀部裏打ち布によるヒップアップその他の臀部形状補整機能が発揮され、前記臀部裏打ち布は、その後中心線に沿った部分と左右と上辺の縁は衣料本体に縫合されているが、下辺縁はほぼその全長にわたって衣料本体に縫合されていないフリーの状態であるので、臀部裏打ち布の運動追従性が良好で、従って座位時や前かがみ時においても、つっぱり感がなく、着用感が良好で、着崩れなどの問題も生じにくい前記衣料を提供できる。更に臀部裏打ち布が後中心線に沿って衣料本体に縫合されていることにより、臀部裏打ち布の位置が安定し、着用の際や着用中の臀部裏打ち布の横ずれなどによる偏りやしわなどの発生を少なくでき好ましい。また、臀部裏打ち布の上辺縁の全長が衣料本体に縫合されているので、臀部裏打ち布の上辺縁近傍の上下への位置ずれが生じにくく、臀部裏打ち布の位置が安定し、しわなどの発生を少なくでき好ましい。更に、洗濯などに対する耐久性が向上し好ましい。そして臀部裏打ち布の左右の縁が脇側を超え前脇に到達していて、衣料本体の腹部充当部片の左右の縁に縫合されているので、臀部裏打ち布が後ろ側から前に臀部を包み込むようにして臀部にパワーがかかるので、臀部裏打ち布によるヒップアップその他の臀部形状補整機能がより効果的に発揮されるとともに、臀部裏打ち布の左右の縁が腹部充当部片の左右の縁に縫合されているので、前脇腹部の補整機能も発揮でき好ましい。
【００４６】
その他先に説明した効果が発揮されるとともに、衣料本体９の比較的緊締力の強い部分と臀部裏打ち布の比較的緊締力の強い部分とが、体形補整機能を相互に補い、衣料本体９の比較的緊締力の強い部分と臀部裏打ち布の比較的緊締力の強い部分とが別個に設計できるので、この両者を併せて比較的自由に所望の部分に比較的緊締力の強い部分を設けることができる。
【００４７】
次に図６及び図７に衣料本体の形状は図１〜２に示したものと同一であるが、臀部裏打ち布１１の態様が異なるロングタイプのガードルを示した。衣料本体の形状は図１〜２に示したものと同一であるので、図示していないが、図１〜２に示した通りである。すなわち、図６は図１の衣料本体の正面側から見た斜視図に、衣料本体裏側に取り付けられている臀部裏打ち布の取り付け位置を記入した図であり、衣料の外側にあらわれる輪郭を点線で表して、裏側に取り付けられる臀部裏打ち布を実線で示した図である。また、図７は図２の衣料本体の背面側から見た斜視図に、衣料本体裏側に取り付けられている図６に示した臀部裏打ち布の取り付け位置を記入した図であり、衣料の外側にあらわれる輪郭を点線で表して、裏側に取り付けられる臀部裏打ち布を実線で示した図である。
【００４８】
この実施の形態においては、図１〜図４に示したガードルと対応する部分は同一の符号を付して重複説明を省略しているが、特に断らない限り同一の符号を付された部分は、図１〜図４に示したガードルと同等の機能を持たせていることを意味している。
【００４９】
ところで、図６〜図７に示したロングタイプのガードルにおいて、臀部裏打ち布１１は、上辺縁１３ａがその右側部分の上辺縁とその左側部分の上辺縁とが後中心で下に凸の略Ｖ字状になっている。図１〜図４に示したガードルと異なり、上辺縁１３ａはガードルの衣料本体９に逢着されていないフリーの状態にされている。但し、この態様においても、臀部裏打ち布１１は左半身用と右半身用とは別個の布から構成されており後中心１２ｂで縫合され接ぎ合わされて１つの臀部裏打ち布を形成している。そしてこのライン１２ｂにおいて臀部裏打ち布１１は同時に衣料本体９の後中心における臀部の縫合ライン５にも縫着されている。
【００５０】
上述のように臀部裏打ち布１１の上辺縁１３ａは、後ろ側においてＶ字状に衣料本体９のウェストライン７より下側に凸に凹んでおり、ウェスト全体の締め付けを比較的緩和して着用感を向上させている態様である。下辺縁１３ｂは臀溝より下２〜３ｃｍ近傍まで達していて、左右の縁１２ａは脇側を超え前脇に到達していて、衣料本体の腹部充当部片１の左右の縁に縫合されている。そして、臀部裏打ち布１１は人体の左右の脇側までとウェストから臀溝までの領域の臀部の面積を基準としてその２／３以上を覆う大きさを有している。
【００５１】
また前記臀部裏打ち布１１は、その左右の縁１２ａは衣料本体の腹部充当部片１の左右の縁に縫合されているが、下辺縁は１３ｂはそのほぼ全長にわたって衣料本体に縫合されていないフリーの状態である。上辺縁１３ａも上述したようにガードルの衣料本体９に逢着されていないフリーの状態にされている。
【００５２】
そして衣料本体９の前脇−臀部−脚部充当部片６においては、図１〜２で示したと同様に、緊締力が段階的に変化している生地が用いられており、ヒップの膨らみの部分を少なくともカバーしている部分並びに前脇上部をカバーしている部分が緊締力の比較的弱い部分であり、それより下側のヒップの下側の部分とそれが前脇側に延在している帯状の部分２ａが緊締力が比較的強められている。ここでもこの緊締力が比較的強められている部分２ａの緊締力は中程度の緊締力とした。更にその下の大腿部を包み込む筒状の脚部３の部分の緊締力は最も強められている強の緊締力とした。すなわち、緊締力のパワーは２、４部分が弱で、２ａ部分が中で、３の部分が強となっている。
【００５３】
このように緊締力変化を持たせることにより、ヒップの丸い膨らみは、つぶさずにヒップの美しい丸みを保ち、ヒップの膨らみの下側の２ａの部分の緊締力を強めることにより、ヒップアップ機能を発揮できるとともに更にその下の大腿部を包み込む筒状の脚部３の部分の緊締力は最も強められているので、裾のずり上がりをより効果的に防止できるとともに、臀部裏打ち布がカバーしきれない太ももからヒップにかけてのラインを効果的に補整でき好ましい。しかも面で大腿部を圧着するので、裾口にゴムテープなどが縫合されている場合に比べて肌への食い込みもない。しかもこの態様においては、衣料本体の脚部３に充当される生地が、その裾口が、ほつれ防止処理されている端始末を必要としない生地からなっている。こうすることにより、裾口の折り返しや縫製あるいはゴムテープの縫着を必要としないので、段になりにくく、裾口の折り返しの部分やゴムテープの縫着部分がアウターウェアーに反映して着用者の外観が見苦しくなるのを防止でき、また、裾口の折り返し段差やゴムテープの縫着部分が、大腿部に圧着されることにより生じる肌への跡が付かず好ましい。
【００５４】
更に、臀部裏打ち布１１はほぼ上辺縁から下辺縁方向に向かって緊締力が変化している生地からなり、比較的緊締力の強い部分が臀部の膨らみの頂点を避けて臀部下側から斜め外側上方にほぼ帯状に延在している領域１１ｂであり、比較的緊締力の強い部分１１ｂより上側の領域は比較的緊締力の弱い部分１１ａとして編み分けられている生地を用いた。そして、この態様においても、衣料本体９も臀部裏打ち布１１も２方向伸縮性のツーウェイ素材（ここではツーウェイパワーネット編物）が使用されている。
【００５５】
また、更にこの態様においても、臀部裏打ち布１１はその下辺縁１３ｂの部分がほつれ防止処理されている端始末を必要としない生地を用いている。従って、ほつれ防止のために生地の下辺縁１３ｂの折り返しや縫製を必要としないので、段になりにくく、臀部裏打ち布１１の縁がアウターウェアーに反映して着用者の外観が見苦しくなるのを防止でき好ましい。
【００５６】
また、この実施の形態例においても、臀部裏打ち布１１の下辺縁１３ｂは、そのほぼ全長にわたって衣料本体９に縫合されていないフリーの状態である例を示したが、下辺縁１３ｂは、全長の少なくとも２／３以上が衣料本体９に縫合されていないフリーの状態であればよく、従って上記範囲内で下辺縁１３ｂは、その一部が衣料本体９に縫合されていてもよい。また、上辺縁１３ａも、全長またはその一部が衣料本体９に縫合されていてもよい。
【００５７】
上記に示したロングタイプのガードルは、臀部裏打ち布によるヒップアップその他の臀部形状補整機能が発揮され、前記臀部裏打ち布は、その後中心線に沿った部分と左右の縁は衣料本体に縫合されているが、下辺縁と上辺縁はほぼその全長にわたって衣料本体に縫合されていないフリーの状態であるので、臀部裏打ち布の運動追従性が一層良好で、従って座位時や前かがみ時においても、つっぱり感がより改良され、着用感が良好で、着崩れなどの問題も生じにくい前記衣料を提供できる。更に臀部裏打ち布が後中心線に沿って衣料本体に縫合されていることにより、臀部裏打ち布の位置が安定し、着用の際や着用中の臀部裏打ち布の横ずれなどによる偏りやしわなどの発生を少なくでき好ましい。そして臀部裏打ち布の左右の縁が脇側を超え前脇に到達していて、衣料本体の腹部充当部片の左右の縁に縫合されているので、臀部裏打ち布が後ろ側から前に臀部を包み込むようにして臀部にパワーがかかるので、臀部裏打ち布によるヒップアップその他の臀部形状補整機能がより効果的に発揮されるとともに、臀部裏打ち布の左右の縁が腹部充当部片の左右の縁に縫合されているので、前脇腹部の補整機能も発揮でき好ましい。
【００５８】
その他先に説明した効果が発揮されるとともに、衣料本体９の比較的緊締力の強い部分と臀部裏打ち布の比較的緊締力の強い部分とが、体形補整機能を相互に補い、衣料本体９の比較的緊締力の強い部分と臀部裏打ち布の比較的緊締力の強い部分とが別個に設計できるので、この両者を併せて比較的自由に所望の部分に比較的緊締力の強い部分を設けることができる。
【００５９】
次に図８〜図１１を用いて、本発明の臀部裏打ち布を有する衣料である別の実施の形態例のロングタイプのガードルについて説明する。
【００６０】
図８は本発明の衣料であるロングタイプのガードルの衣料本体の正面側から見た斜視図、図９は図８に示したガードルの衣料本体の背面側から見た斜視図、図１０は図８の衣料本体の正面側から見た斜視図に、衣料本体裏側に取り付けられている臀部裏打ち布の取り付け位置を記入した図であり、衣料本体の外側にあらわれる輪郭を点線で表して、裏側（内側）に取り付けられている臀部裏打ち布を実線で示した図である。図１１は図９の衣料本体の背面側から見た斜視図に、衣料本体裏側に取り付けられている臀部裏打ち布の取り付け位置を記入した図であり、衣料本体の外側にあらわれる輪郭を点線で表して、裏側（内側）に取り付けられている臀部裏打ち布を実線で示した図である。尚、この実施の形態においては、図１〜図４に示したガードルと対応する部分は同一の符号を付して重複説明を省略しているが、特に断らない限り同一の符号を付された部分は、図１〜図４に示したガードルと同等の機能を持たせていることを意味している。
【００６１】
図８〜１１において１は衣料（ガードル）本体９の腹部充当部片、２は前脇部、３は大腿部を包み込む筒状の脚部、４は臀部充当部であり、５は後中心における臀部の縫合ラインである。そしてこの図示した態様においては、前脇部２、大腿部を包み込む筒状の脚部３、臀部充当部４は左右それぞれ１枚づつの連続した生地からなっている。従って２、３、４をまとめてここではこれを前脇−臀部−脚部充当部片６と呼ぶ。そしてこの実施の形態の衣料本体９の前脇−臀部−脚部充当部片６においては、その上辺縁６ａはウェストライン７に平行な縁６ａ２とウェストライン７から斜めに後中心に向かって下がる縁６ａ１とを有している。そして後ろ側の臀部上部には、そのほぼ左右の中央部にウェストラインから下に凸状の三角形状の臀部上部充当部片３０が充当されており、臀部上部充当部片３０はその上辺縁が後ろ側のウェストラインの一部を構成し、左右の縁は前脇−臀部−脚部充当部片６の縁６ａ１に縫合されている。
【００６２】
本実施の形態においては、衣料（ガードル）本体９の腹部充当部片１は、衣料本体の縦方向にのみ伸縮性のワンーウェイ素材（ここではワンウェイパワーネット編物）を使用し、臀部上部充当部片３０と前脇−臀部−脚部充当部片６には２方向伸縮性のツーウェイ素材（ここではツーウェイトリコット編物）を使用した。尚、この態様においても、衣料本体の脚部３に充当される生地が、その裾口が、ほつれ防止処理されている端始末を必要としない生地からなっている。こうすることにより、裾口の折り返しや縫製あるいはゴムテープの縫着を必要としないので、段になりにくく、裾口の折り返しの部分あるいはゴムテープの縫着部分がアウターウェアーに反映して着用者の外観が見苦しくなるのを防止でき、また、裾口の折り返し段差やゴムテープの縫着部分が、大腿部に圧着されることにより生じる肌への跡が付かず好ましい。
【００６３】
ところで、図８〜図１１に示したロングタイプのガードルにおいて、臀部裏打ち布１１は、その上辺縁１３ａはウェストライン７に平行な縁１３ａ２とウェストライン７から斜めに後中心に向かって下がる縁１３ａ１とを有している。そして上辺縁１３ａ１がその右側部分の上辺縁とその左側部分の上辺縁とが後中心で下に凸の略Ｖ字状になっている。ところで図６〜図７に示したガードルと異なり、上辺縁１３ａはガードルの衣料本体９に逢着されている態様とした。また、この態様においても、臀部裏打ち布１１は左半身用と右半身用とは別個の布から構成されており後中心１２ｂで縫合され接ぎ合わされて１つの臀部裏打ち布を形成している。そしてこのライン１２ｂにおいて臀部裏打ち布１１は同時に衣料本体９の後中心における臀部の縫合ライン５にも縫着されている。
【００６４】
上述のように臀部裏打ち布１１の上辺縁１３ａ１は、後ろ側においてＶ字状に衣料本体９のウェストライン７より下側に凸に凹んでおり、ウェスト全体の締め付けを比較的緩和し着用感を向上させている態様である。下辺縁１３ｂは臀溝より下２〜３ｃｍ近傍まで達していて、左右の縁１２ａは脇側を超え前脇に到達していて、衣料本体の腹部充当部片１の左右の縁に縫合されている。そして、臀部裏打ち布１１は人体の左右の脇側までとウェストから臀溝までの領域の臀部の面積を基準としてその２／３以上を覆う大きさを有している。
【００６５】
また前記臀部裏打ち布１１は、その左右の縁１２ａと上辺縁１３ａは衣料本体の腹部充当部片１の左右の縁に縫合されているが、下辺縁は１３ｂはそのほぼ全長にわたって衣料本体に縫合されていないフリーの状態にされている。
【００６６】
更に、臀部裏打ち布１１はほぼ上辺縁から下辺縁方向に向かって緊締力が変化している生地からなり、比較的緊締力の強い部分が臀部の膨らみの頂点を避けて臀部下側から斜め外側上方にほぼ帯状に延在している領域１１ｂであり、比較的緊締力の強い部分１１ｂより上側の領域は比較的緊締力の弱い部分１１ａとして編み分けられている生地を用いた。そして、この態様においても、臀部裏打ち布１１は２方向伸縮性のツーウェイ素材（ここではツーウェイパワーネット編物）が使用されている。
【００６７】
また、更にこの態様においても、臀部裏打ち布１１はその下辺縁１３ｂの部分がほつれ防止処理されている端始末を必要としない生地を用いている。従って、ほつれ防止のために生地の下辺縁１３ｂの折り返しや縫製あるいはゴムテープの縫着を必要としないので、段になりにくく、臀部裏打ち布１１の下辺縁がアウターウェアーに反映して着用者の外観が見苦しくなるのを防止でき好ましい。
【００６８】
また、この実施の形態例においても、臀部裏打ち布１１の下辺縁１３ｂは、そのほぼ全長にわたって衣料本体９に縫合されていないフリーの状態である例を示したが、下辺縁１３ｂは、全長の少なくとも２／３以上が衣料本体９に縫合されていないフリーの状態であればよく、従って上記範囲内で下辺縁１３ｂは、その一部が衣料本体９に縫合されていてもよい。また、上辺縁１３ａ１については、全長またはその一部が衣料本体９に縫合されていないフリーの状態を採用してもよい。
【００６９】
上記に示したロングタイプのガードルは、臀部裏打ち布によるヒップアップその他の臀部形状補整機能が発揮され、前記臀部裏打ち布は、その後中心線に沿った部分と上辺縁並びに左右の縁は衣料本体に縫合されているが、下辺縁はほぼその全長にわたって衣料本体に縫合されていないフリーの状態であるので、臀部裏打ち布の運動追従性が良好で、従って座位時や前かがみ時においても、つっぱり感が改良され、着用感が良好で、着崩れなどの問題も生じにくい前記衣料を提供できる。更に臀部裏打ち布が後中心線に沿って衣料本体に縫合されていることにより、臀部裏打ち布の位置が安定し、着用の際や着用中の臀部裏打ち布の横ずれなどによる偏りやしわなどの発生を少なくでき好ましい。そして臀部裏打ち布の左右の縁が脇側を超え前脇に到達していて、衣料本体の腹部充当部片の左右の縁に縫合されているので、臀部裏打ち布が後ろ側から前に臀部を包み込むようにして臀部にパワーがかかるので、臀部裏打ち布によるヒップアップその他の臀部形状補整機能がより効果的に発揮されるとともに、臀部裏打ち布の左右の縁が腹部充当部片の左右の縁に縫合されているので、前脇腹部の補整機能も発揮でき好ましい。
【００７０】
その他先に説明した効果が発揮されるとともに、衣料本体９のは腹部充当部片１が横方向には伸びにくくされているので、腹部の贅肉の膨出を抑えて腹部の形状を整える機能とともに、臀部裏打ち布の比較的緊締力の強い部分とが、体形補整機能を相互に補い、衣料本体９の腹部充当部片などの緊締力を必要とする部分と臀部裏打ち布の比較的緊締力の強い部分とが別個に設計できるので、この両者を併せて比較的自由に所望の部分に体形補整機能を付与することができる。
【００７１】
以上、実施の形態例においては、ロングタイプのガードルについて、図面を引用して説明したが、本発明の衣料はこれらに限定されるものではなく、例えば、セミロングタイプのガードルやスパッツのような人体脚部を筒状に覆う脚部部分を有し、股部を有していて、少なくとも腹部と臀部を覆っている衣料に当然適用できることは明瞭である。
【００７２】
特に衣料が、ロングタイプのガードル並びにスパッツから選ばれた衣料が好ましく、本発明ではロングタイプのガードル並びにスパッツは、その脚部の長さが太ももの長さの１／２以上を覆っているものを意味しており、ロングタイプのガードル並びにスパッツは、太ももの長さの１／２以上を覆っているので、裾のずり上がりが効果的に防止できるとともに、ロングタイプのガードル並びにスパッツは、ショートタイプのガードルに比べて、効果的に太ももからヒップのラインを補整できる機能が発揮できるが、ショートタイプのガードルに比べて、ヒップ形状補整機能が発揮されにくい。しかし、本発明の衣料における腹部裏打ち布は、ショートタイプのガードルに匹敵する機能も発揮できるので、本発明のロングタイプのガードル並びにスパッツは、ロングタイプとショートタイプのガードルの好ましい機能を併せ持った衣料が提供でき、しかも着用感が良好で好ましい。
【００７３】
尚、前述した所定部分に所定の緊締力変化を有する生地としては、すなわち生地に緊締力変化をつけるには、公知のいかなる方法を用いてもよく、特に限定するものではないが、例えば、ポリウレタン繊維などの弾性繊維の太さを太い弾性繊維を用いた部分と細い弾性繊維を用いた部分で構成する方法、ポリウレタン繊維などの弾性繊維の混入割合が多い部分と少ない部分で構成する方法、編み組織を緊締力の強い編み組織と弱い編み組織に編み分ける方法（例えば特開２０００−８２０３号公報など）、ゴムや弾性樹脂の付与による方法、これらの少なくとも２方法以上の組み合わせなど適宜の方法によって緊締力変化の付された生地を得ることができる。
【００７４】
緊締力の変化は段階的でも連続的に変化させてもよいし、段階は目的に応じて任意である。
【００７５】
緊締力は、相対的なものであり、適用する衣料の種類や部位、着用者の好み、年齢などによって異なるのでその緊締力を数値で絶対的に示すことは困難である。強いて参考の目安として示すならば、比較的緊締力の強い部分の緊締力としては、特に限定するものではないが、ほぼその長さ方向で０．３Ｎ〜４Ｎの緊締力を有する様に設計することが好ましい。このような緊締力の範囲において、本発明の機能が効果的に発揮され、また、圧迫感が余りに強過ぎることもなく着用感が良好で好ましい。尚、比較的緊締力の弱い伸縮性部の緊締力が０．３Ｎを超えることがあっても、当該被服中に設けられている比較的緊締力の強い伸縮性部よりも、その緊締力が小さければ差し支えない。
【００７６】
比較的緊締力の強い部分や比較的緊締力の弱い部分などの生地の緊締力を測定する場合には、次の引張り試験を行って測定する。
【００７７】
素材経方向（ウェール方向）が試験片の長さ方向になるように幅２．５ｃｍ×長さ１６．０ｃｍの試験片を作成し、その長さ方向を上下方向に向けてその両端をクリップでつかむ。上部つかみ長さを２．５ｃｍ、下部つかみ長さを３．５ｃｍとし、従ってつかみ間隔は１０．０ｃｍとして定速伸長形引張試験機（島津製作所製“オートグラフ”ＡＧ−５００Ｄ）に取り付け、３０±２ｃｍ／分の速度で試験片を伸度８０％まで伸ばす。この際、伸度３０％時点で試験片に掛かっている応力を記録しこれを伸長力（単位Ｎ）、［１ｇｆ≒０．００９８Ｎ］とし、次に伸度８０％まで伸ばした試験片に掛かる応力を取り去ると、試験片が元の長さに戻ろうとして収縮するが、伸度３０％まで回復した時の試験片に掛かる応力を緊締力（単位Ｎ）とする。これらの値は、上記引張試験機により自動的に記録される様に設定しておく。尚、伸長力、緊締力とも、これらのデータは試験片２つの平均値を求めてそれぞれ伸長力、緊締力とする。
【００７８】
ここで、伸度（％）とは、伸ばした状態で伸び方向の生地の長さをｄ、伸ばす前の試料の元の長さ（すなわちつかみ間隔）をｅとすると、［（ｄ−ｅ）／ｅ］×１００の値である。
【００７９】
尚、伸長力や緊締力の測定の際に試験片の大きさとしては、前述のような大きさのものを用いることが好ましいが、かかる大きさの試料が測定対象の衣類から切り出せない場合にはそれより小さくても差し支えない。ただ、試料の大きさが小さくなるほど、測定誤差が大きくなるので、切り出せる範囲でできるだけ大きな試料を採取して測定することが好ましい。
【００８０】
また、本発明の衣料は、伸縮性を有するポリウレタン繊維含有ラッセル編物であるポリウレタン繊維含有パワーネットや、ポリウレタン繊維含有トリコット編物などを好ましく用いることができるので、通常の衣料を作成する際に用いられている程度の厚み、例えば約０．３〜０．８ｍｍの厚みの生地が使用でき、したがって着用時のプロポーションなどの外観が低下が少なく、身体によくフィットし、通気性も比較的良好な被服を提供できる。パワーネットの種類としては、例えば、プレーンパワーネット、サテンパワーネット、ツーウェイラッセル、“トリスキン”（ト部株式会社の商標）などが挙げられる。
【００８１】
【発明の効果】
（１）本発明の臀部裏打ち布を有する衣料は、臀部裏打ち布によるヒップアップその他の臀部形状補整機能が発揮され、比較的大きい面積で臀部裏打ち布を設けていても、前記臀部裏打ち布は、伸縮性を有していて、しかもその左右の縁は衣料本体に縫合されているが、下辺縁はその全長、または、全長の少なくとも２／３以上が衣料本体に縫合されていないフリーの状態であるので、臀部裏打ち布の運動追従性が良好で、従って座位時や前かがみ時においても、つっぱり感がなく、着用感が良好で、着崩れなどの問題も生じにくい前記衣料を提供できる。
【００８２】
また、臀部裏打ち布が、弾性繊維を含有していてほぼ上辺縁から下辺縁方向に向かって緊締力が変化している生地からなり、比較的緊締力の強い部分が臀部の膨らみの頂点を避けて臀部下側から斜め外側上方にほぼ帯状に延在している領域であり、比較的緊締力の強い部分より上側の領域は比較的緊締力の弱い部分であることにより、臀部裏打ち布の比較的緊締力の強い部分が臀部の膨らみの頂点より下側から斜め外側上方にほぼ帯状に延在しているので、ヒップアップ機能が更に一層強化されるとともに、臀部の膨らみの頂点近傍は比較的緊締力の弱い部分でカバーされているので、ヒップの膨らみをつぶさずに美しい丸みを保ち、より効果的な美しいヒップ形状を実現でき、更に臀部裏打ち布が、少なくともその下側の縁部がほつれ防止処理されている端始末を必要としない生地からなることにより、ほつれ防止のため臀部裏打ち布の下側の縁部を折り返して縫製する通常の端始末を必要とする生地を用いた場合に比べ、生地の下側の縁部の折り返しや縫製を必要としないので、段になりにくく、臀部裏打ち布の縁がアウターウェアーに反映して着用者の外観が見苦しくなるのを防止でき好ましい。また、生地の下側の縁部の折り返し縫製による、運動追従性への影響も少なく好ましい。
【００８３】
また、衣料が、ロングタイプのガードル並びにスパッツから選ばれた衣料であることにより、ロングタイプのガードル並びにスパッツは、太ももの長さの１／２以上を覆っているので、裾の刷り上がりが効果的に防止できるとともに、ロングタイプのガードル並びにスパッツは、ショートタイプのガードルに比べて、効果的に太ももからヒップのラインを補整できる機能が発揮できるが、ショートタイプのガードルに比べて、ヒップ形状補整機能が発揮されにくい。しかし、本発明の衣料における腹部裏打ち布は、ショートタイプのガードルに匹敵する機能も発揮できるので、本発明のロングタイプのガードル並びにスパッツは、ロングタイプとショートタイプのガードルの好ましい機能を併せ持った衣料が提供でき、しかも着用感が良好で好ましい。
【００８４】
（２）また、臀部裏打ち布が、その後中心線にほぼ沿った部分が更に衣料本体に縫合されている上記本発明の好ましい態様とすることにより、左右のヒップの膨らみの存在する部分に比べて臀部の臀裂のある後中心部分は、皮膚の伸びがそれほど大きくないので、後中心線にほぼ沿った部分が更に衣料本体に縫合されていても、臀部裏打ち布に要求される運動追従性は十分発揮され、後中心線にほぼ沿った部分が衣料本体に縫合されていることにより、臀部裏打ち布の位置が安定し、着用の際や着用中の臀部裏打ち布の横ずれなどによる偏りやしわなどの発生を少なくでき好ましい。
【００８５】
（３）また、臀部裏打ち布の上辺縁の全長又は全長の少なくとも１／２以上が衣料本体に縫合されている上記本発明の好ましい態様とすることにより、臀部裏打ち布の上辺縁近傍の上下への位置ずれが生じにくく、臀部裏打ち布の位置が安定し、しわなどの発生を少なくでき好ましい。また、洗濯などに対する耐久性が向上し好ましい。
【００８６】
（４）また、臀部裏打ち布の上辺縁の全長又は全長の少なくとも１／２以上が衣料本体に縫合されていないフリーの状態である上記本発明の好ましい態様とすることにより、臀部裏打ち布の運動追従性がより良好になるので、つっぱり感が更に少なくでき、ウェスト部のずり下がりや裾部のずり上がりなどがより少なくでき好ましい。
【００８７】
（５）また、臀部裏打ち布の左右の縁が脇側を超え前脇に到達している上記本発明の好ましい態様とすることにより、臀部裏打ち布が、後ろ側だけでなく、脇側を超え前脇に到達しているので、後ろから前に臀部を包み込むようにして臀部にパワーがかかるので、臀部裏打ち布によるヒップアップその他の臀部形状補整機能がより効果的に発揮され好ましい。
【００８８】
（６）また、臀部裏打ち布の左右の縁が脇側を超え前脇に到達していて、衣料本体の腹部充当部片の左右の縁に縫合されている上記本発明の好ましい態様とすることにより、臀部裏打ち布が後ろ側だけでなく、脇側を超え前脇に到達しているので、後ろ側から前に臀部を包み込むようにして臀部にパワーがかかるので、臀部裏打ち布によるヒップアップその他の臀部形状補整機能がより効果的に発揮されるとともに、臀部裏打ち布の左右の縁が腹部充当部片の左右の縁に縫合されているので、前脇腹部の補整機能も発揮でき好ましい。
【００８９】
（７）また、臀部裏打ち布の下辺縁が、臀部の膨らみの頂点を避けて臀部下部のほぼ臀溝近傍を通り斜め外側上方に向かい、前脇側に至っている上記本発明の好ましい態様とすることにより、臀部裏打ち布が臀部下部のほぼ臀溝近傍までカバーしておりそれより斜め外側上方に向かい、前脇側に至っているので、前記（５）項や（６）項で述べた機能とともに、ヒップアップ機能が確実に発揮され好ましい。
【００９０】
（８）また、衣料本体の緊締力の変化が付されている部分が、（ａ）ヒップの膨らみの部分の緊締力が比較的弱く、それより下側にいくに従い少なくともヒップの下端まで緊締力が比較的強められているか、（ｂ）脚部の裾口近傍、又は脚部の裾口近傍とそれより上の大腿部の緊締力が比較的強くされているかのいずれか少なくとも１つである上記本発明の好ましい態様とすることにより、衣料本体の緊締力の変化が付されている部分が、（ａ）ヒップの膨らみの部分の緊締力が比較的弱く、それより下側にいくに従い少なくともヒップの下端まで緊締力が比較的強められている態様の場合には、更にヒップの膨らみの美しい丸みを保ち、且つ、ヒップアップ機能を衣料本体にも付与でき好ましい。従って、臀部裏打ち布を併せて採用することにより、より効果的にヒップアップ機能が発揮され好ましい。
【００９１】
また、（ｂ）脚部の裾口近傍、又は脚部の裾口近傍とそれより上の大腿部の緊締力が比較的強くされている態様を採用した場合には、脚部の裾口近傍のみの場合には、裾のずり上がりをより効果的に防止でき好ましい。脚部の裾口近傍とそれより上の大腿部の緊締力が比較的強くされている態様を採用した場合には、裾のずり上がりをより効果的に防止できるとともに、臀部裏打ち布がカバーしきれない太ももからヒップにかけてのラインを効果的に補整でき好ましい。従ってこの態様の場合には、衣料本体と裏打ち布とでそれぞれが有効に発揮できる機能を組み合わせて所望の部分に所望の補整機能を付与することができ好ましい。特に臀部裏打ち布として緊締力変化を有する態様の臀部裏打ち布を組み合わせているので、上記、機能がより一層効果的に発揮されきわめて好ましい。
【００９２】
（９）また、衣料本体の脚部に充当される生地が、その裾口が、ほつれ防止処理されている端始末を必要としない生地からなる上記本発明の好ましい態様とすることにより、ほつれ防止のため衣料本体の脚部の裾口を折り返して縫製する通常の端始末を必要とする生地を用いた場合に比べ、裾口の折り返しや縫製を必要としないので、段になりにくく、裾口の折り返しの部分ががアウターウェアーに反映して着用者の外観が見苦しくなるのを防止でき、また、裾口の折り返し段差が、大腿部に圧着されることにより生じる肌への跡が付かづ好ましい。
【図面の簡単な説明】
【図１】  本発明の臀部裏打ち布を有する衣料であるロングタイプのガードルの衣料本体の正面側から見た斜視図。
【図２】  図１に示したガードルの衣料本体の背面側から見た斜視図。
【図３】  図１の衣料本体の正面側から見た斜視図に、衣料本体裏側に取り付けられている臀部裏打ち布の取り付け位置を記入した図。
【図４】  図２の衣料本体の背面側から見た斜視図に、衣料本体裏側に取り付けられている臀部裏打ち布の取り付け位置を記入した図。
【図５】  図１〜４に示したガードルの各構成部片の展開平面図。
【図６】  図１の衣料本体の正面側から見た斜視図に、別の態様の臀部裏打ち布の取り付け位置を記入した図。
【図７】  図２の衣料本体の背面側から見た斜視図に、衣料本体裏側に取り付けられている図６に示した臀部裏打ち布の取り付け位置を記入した図。
【図８】  本発明の衣料である別の実施の形態例のロングタイプのガードルの衣料本体の正面側から見た斜視図。
【図９】  図８に示したガードルの衣料本体の背面側から見た斜視図。
【図１０】  図８の衣料本体の正面側から見た斜視図に、衣料本体裏側に取り付けられている臀部裏打ち布の取り付け位置を記入した図。
【図１１】  図９の衣料本体の背面側から見た斜視図に、衣料本体裏側に取り付けられている臀部裏打ち布の取り付け位置を記入した図。
【図１２】  従来のロングタイプのガードルの正面側から見た斜視図。
【図１３】  図１２に示したロングタイプのガードルの背面側から見た斜視図。
【符号の説明】
１        衣料（ガードル）本体９の腹部充当部片
２        前脇部
２ａ      緊締力が比較的強められている部分
３        脚部
４        臀部充当部
５        後中心における臀部の縫合ライン
６        前脇−臀部−脚部充当部片
６ａ      前脇−臀部−脚部充当部片６の上辺縁
６ａ１    ウェストライン７から斜めに後中心に向かって下がる縁
６ａ２    ウェストライン７に平行な縁
７        ウェストライン
８        クロッチ布
９        衣料本体
１１      臀部裏打ち布
１１ａ    比較的緊締力の弱い部分
１１ｂ    比較的緊締力の強い部分が臀部の膨らみの頂点を避けて臀部下側から斜め外側上方にほぼ帯状に延在している領域
１２ａ    臀部裏打ち布１１の左右の縁
１２ｂ    臀部裏打ち布１１の後中心ライン
１３ａ    臀部裏打ち布１１の上辺縁
１３ｂ    臀部裏打ち布１１の下辺縁
２０      臀部裏打ち布１１のＳ−Ｔラインの仮想位置
３０      臀部上部充当部片
１２０  裏打ち布
１２１  裏打ち布の上の縁
１２２  裏打ち布の下の縁
１２３  裏打ち布の左の縁
１２４  裏打ち布の右の縁
【図１】
0004311595.tif 000002
【図２】
0004311595.tif 000003
【図３】
0004311595.tif 000004
【図４】
0004311595.tif 000005
【図５】
0004311595.tif 000006
【図６】
0004311595.tif 000007
【図７】
0004311595.tif 000008
【図８】
0004311595.tif 000009
【図９】
0004311595.tif 000010
【図１０】
0004311595.tif 000011
【図１１】
0004311595.tif 000012
【図１２】
0004311595.tif 000013
【図１３】
0004311595.tif 000014